【手続補正書】
【提出日】平成17年12月15日(2005.12.15)
【手続補正１】
【補正対象書類名】特許請求の範囲
【補正対象項目名】全文
【補正方法】変更
【補正の内容】
【特許請求の範囲】
【請求項１】
下部電極と電子放出電極、および前記下部電極と電子放出電極の間に挟持される電子加速層を有し、前記下部電極と前記電子放出電極間に電圧を印加することで該電子放出電極側より電子を放出する薄膜型電子源アレイを有する陰極基板と、前記電子により励起されて発光する蛍光体を形成した蛍光面を有する蛍光面基板とからなる表示パネルと、前記下部電極と前記電子放出電極を駆動する駆動回路を有し、
前記表示パネルの前記薄膜型電子源アレイをマトリクス状に配置した画像表示領域における前記下部電極と電子放出電極に給電する上部バス電極の何れか一方がストライプ形状の電極であることを特徴とする画像表示装置。
【請求項２】
下部電極と電子放出電極、および前記下部電極と電子放出電極の間に挟持される電子加速層を有し、前記下部電極と前記電子放出電極間に電圧を印加することで該電子放出電極側より電子を放出する薄膜型電子源アレイを有する陰極基板と、前記電子により励起されて発光する蛍光体を形成した蛍光面を有する蛍光面基板とからなる表示パネルと、前記下部電極と前記電子放出電極を駆動する駆動回路を有し、
前記表示パネルの前記薄膜型電子源アレイをマトリクス状に配置した画像表示領域における前記下部電極と電子放出電極に給電する上部バス電極の双方がストライプ形状の電極であることを特徴とする画像表示装置。
【請求項３】
下部電極と、電子を放出する電子放出電極とを有する電子源アレイを有する陰極基板と、前記電子により励起されて発光する蛍光体を形成した蛍光面を有する蛍光面基板とからなる表示パネルと、前記下部電極と前記電子放出電極を駆動する駆動回路を有し、
前記電子源は、隣接する上部バス電極の間に設けられ、
前記画像表示領域に形成された前記電子放出電極が当該画素の上部バス電極と接続され、かつ隣接する画素の上部バス電極とは分離されることにより、画素分離されていることを特徴とする画像表示装置。
【請求項４】
下部電極と、電子を放出する電子放出電極とを有する電子源アレイを有する陰極基板と、前記電子により励起されて発光する蛍光体を形成した蛍光面を有する蛍光面基板とからなる表示パネルと、前記下部電極と前記電子放出電極を駆動する駆動回路を有し、
前記電子源は、隣接する上部バス電極の間に設けられ、
画像表示領域に形成された上部電子放出電極が、前記上部バス電極と接続され、かつ前記隣接画素の上部バス電極とは、当該画素の上部バス電極の片側側面に形成された庇構造の段差で分離されて、画素分離されていることを特徴とする画像表示装置。
【請求項５】
前記上部バス電極は画素ピッチ毎に１本づつ形成されており、前記電子放出電極へ給電する前記上部バス電極としての機能と、前記陰極基板および前記蛍光面基板の間に介挿されて両基板を支持するスペーサの電位を与える電極の機能とを兼ねていることを特徴とする請求項１乃至４の何れかに記載の画像表示装置。
【請求項６】
下部電極と、電子を放出する電子放出電極とを有する電子源アレイを有する陰極基板と、前記電子により励起されて発光する蛍光体を形成した蛍光面を有する蛍光面基板とからなる表示パネルと、前記下部電極と前記電子放出電極を駆動する駆動回路を有し、
前記電子源は、隣接する上部バス電極およびスペーサ電極の間に設けられ、
前記画像表示領域に形成された前記電子放出電極は前記上部バス電極と接続されると共に、前記スペーサ電極とは分離され、
前記スペーサ電極および隣接する行（または列）の前記電子源の前記上部バス電極とは絶縁されており、
前記スペーサ電極上に前記陰極基板と前記蛍光面基板の間を支持するスペーサが配置されていることを特徴とする画像表示装置。
【請求項７】
下部電極と、電子を放出する電子放出電極とを有する電子源アレイを有する陰極基板と、前記電子により励起されて発光する蛍光体を形成した蛍光面を有する蛍光面基板とからなる表示パネルと、前記下部電極と前記電子放出電極を駆動する駆動回路を有し、
前記電子源は、隣接する上部バス電極およびスペーサ電極の間に設けられ、
前記画像表示領域に形成された前記電子放出電極は、前記上部バス電極と接続されると共に、前記スペーサ電極とは当該スペーサ電極の側面に形成された庇構造の段差で分離されて、
前記スペーサ電極および隣接する行（または列）の電子源の前記上部バス電極とは絶縁されており、
前記スペーサ電極の上に電子源アレイ基板と蛍光面基板間の間を支持するスペーサが配置されていることを特徴とする画像表示装置。
【請求項８】
下部電極と、電子を放出する電子放出電極とを有する電子源アレイを有する陰極基板と、前記電子により励起されて発光する蛍光体を形成した蛍光面を有する蛍光面基板とからなる表示パネルと、前記下部電極と前記電子放出電極を駆動する駆動回路を有し、
前記電子源は、隣接する第１と第２の上部バス電極の間に設けられ、
前記画像表示領域に形成された電子放出電極は、前記第１および第２のバス電極で接続され、
さらに、前記第１および第２の上部バス電極と平行して形成された第３の電極を有しており、
前記電子放出電極は前記第３の電極の側面に形成された庇構造の段差で分離されて、隣接する行（または列）の前記電子源の上部バス電極とは絶縁されており、
前記第３の電極上に前記陰極基板と前記蛍光面基板の間を支持するスペーサが配置されていることを特徴とする画像表示装置。
【請求項９】
前記上部バス電極は前記画像表示領域の外ではストライプ形状で隣接しない部分を含むことを特徴とする請求項１乃至４の何れか、または６乃至８の何れかに記載の画像表示装置。
【請求項１０】
前記上部バス電極および前記スペーサ電極は２層以上の金属薄膜の積層膜構造であることを特徴とする請求項１乃至４の何れか、または６乃至８の何れかに記載の画像表示装置。
【請求項１１】
前記上部バス電極およびスペーサ電極は、Ｃｕを他の金属で挟んだ３層以上の金属膜で形成されていることを特徴とする請求項１乃至４の何れか、または６乃至８の何れかに記載の画像表示装置。
【請求項１２】
前記上部バス電極およびスペーサ電極は、Ｃｕを他の金属で挟んだ３層以上の金属膜で形成されており、前記３層膜の下層膜および上層膜はＡｌ、Ｃｒ、Ｗ、Ｍｏまたはそれらを含む合金であることを特徴とする請求項１乃至４の何れか、または６乃至８の何れかに記載の画像表示装置。
【請求項１３】
前記上部バス電極およびスペーサ電極は、Ｃｕを他の金属で挟んだ３層以上の金属膜で形成されており、前記３層膜の下層膜および上層膜はＡｌ、Ｃｒ、Ｗ、Ｍｏまたはそれらを含む合金であり、前記３層膜の上層の膜厚は、下層の膜厚より厚いことを特徴とする請求項１乃至４の何れか、または６乃至８の何れかに記載の画像表示装置。
【請求項１４】
前記上部バス電極および前記スペーサ電極が、前記表示パネルをマトリクス駆動する際の走査線として用いられることを特徴とする請求項１乃至４の何れか、または６乃至８の何れかに記載の画像表示装置。
【請求項１５】
前記上部バス電極はスパッタで形成した薄膜と印刷で形成した導電性厚膜の積層膜で形成されていることを特徴とする請求項１乃至４の何れか、または６乃至８の何れかに記載の画像表示装置。
【請求項１６】
前記上部バス電極の薄膜部は２層以上の膜で構成され、当該配線の側面の片側で前記電子放出電極と接続する段々構造を有し、これと反対側の側面では前記電子放出電極を分離する庇構造を有していることを特徴とする請求項１乃至４の何れか、または６乃至８の何れかに記載の画像表示装置。
【請求項１７】
前記上部バス電極はスパッタで形成した薄膜と印刷で形成した導電性厚膜の積層膜で形成されており、前記導電性厚膜の厚膜はＡｇを含む電極であることを特徴とする請求項１乃至４の何れか、または６乃至８の何れかに記載の画像表示装置。
【請求項１８】
前記上部バス電極はスパッタで形成した薄膜と印刷で形成した導電性厚膜の積層膜で形成され、前記導電性厚膜の厚膜はＡｇを含む電極であり、前記上部バス電極はマトリクス駆動する際の走査線として用いられることを特徴とする請求項１乃至４の何れか、または６乃至８の何れかに記載の画像表示装置。